(57)【特許請求の範囲】
【請求項１】
竪型のシリンダ１の上端外周に容器体の口頸部へ取り付ける装着筒２を備え、そのシリンダ１から上方へ突出するステム３の上端に押下げノズルヘッド４を備え、上記装着筒２の上面から上記ステム３を囲成する案内筒６を立設し、該案内筒の外側に上記押下げノズルヘッド４に設けた下端解放の外周壁７を昇降摺動自在に嵌合させ、上記押下げノズルヘッド４を押し下げしかつ上昇復帰させることでポンプ作用を生じて、取り付けた容器体内の液体を吸い上げてはその押下げノズルヘッド４のノズル10から噴出させるポンプにおいて、
上記案内筒６の下部外周に凹溝11を周設するとともに、
該凹溝には、曲げの弾性を有するとともに全周に亘って連続成形したスライドリング12を装備させており、該スライドリングは、その外周を、前後方向に長くかつ左右両側中間部がほぼ平らな長円形に、またリング孔を、左右両側中間部において内方に括れたダルマ形にそれぞれ形成することで、前後動可能に、かつ前後動に伴い後半部14及び前半部13を上記凹溝11に切換え嵌合できるように設けており、
また、スライドリングの後半部14から、上昇限に位置する上記押下げノズルヘッド４の外周壁７下端面へ差し抜き自在に介入させるように設けた、上面視劣弧状のロック板15を立設し、
更に、その後半部14乃至ロック板15の後面につまみ16を突設したことを特徴とするロック付きポンプ。
【請求項２】
上記つまみ16を横断面Ｔ字状乃至Ｙ字状の垂直片とし、上記ロック板15の差し込み態勢にて平面視で上記装着筒２の範囲内に納まる大きさとした請求項１記載のロック付きポンプ。
【発明の詳細な説明】
【０００１】
【発明の属する技術分野】
本発明は、容器体の口頸部へ装着して使用するロック付きポンプに関するものである。
【０００２】
【従来の技術】
従来、ポンプ本体の上端に押下げノズルヘッドを備え、ポンプ本体の中間部に装着筒を有し、かつ、ポンプ本体の下端から吸上げパイプを垂設したポンプであって、その装着筒により液体等の内容物を収容した容器体の口頸部に取り付け、押下げノズルヘッドを押し下げしかつ上昇復帰させることでポンプ作用を生じて、容器体内の液体を吸上げパイプを通じて吸い上げてはその押下げノズルヘッドのノズルから噴出させるものが知られている（実開平6‐81653 号公報）。
具体的には、ポンプは、竪型のシリンダの上端外周に容器体の口頸部へ取り付ける装着筒を備え、そのシリンダの上端部の内側から上方へステムを突出させ、該ステムの上端に押下げノズルヘッドを備え、そのシリンダの下端から吸上げパイプを垂設し、また、上記装着筒の上面から上記ステムを囲成する案内筒を立設し、該案内筒の外側に上記押下げノズルヘッドに設けた下端解放の外周壁を昇降摺動自在に嵌合させ、上記押下げノズルヘッドを押し下げしかつ上昇復帰させることでポンプ作用を生じて、取り付けた容器体内の液体を吸上げパイプを通じて吸い上げてはその押下げノズルヘッドのノズルから噴出させるものである。
そして、この種のポンプは、通常、予め内容物が充填された容器体の口頸部に装着した状態で商品として市場に流通しており、この場合、押下げノズルヘッドの無用の押し下げや外力による不意の下降などにより内容物が漏出することがあるため、上昇限に位置する押下げノズルヘッドと装着筒との間に、バージンシール機能を有する筒状ストッパー等を取り外し可能に介入させて、押下げノズルヘッドの無用の押し下げや外力による不意の下降などを防止している（実開平6‐81653 号公報）。
【０００３】
【発明が解決しようとする課題】
しかし、この場合、その筒状ストッパー等は、需要者において破断除去するものであり、一旦取り外すと再度の使用は困難である。したがって、破断除去後に生じ得る押下げノズルヘッドの無用の押し下げや外力による不意の下降などは阻止できず、これによる内容物の漏出を防止できない。
そこで、本発明は、押下げノズルヘッドのロックを幾度も任意に係合・離脱できるようにして、上記問題点を解決しようとするものである。
【０００４】
【課題を解決するための手段】
上記目的達成のため、請求項１の発明は、竪型のシリンダ１の上端外周に容器体の口頸部へ取り付ける装着筒２を備え、そのシリンダ１から上方へ突出するステム３の上端に押下げノズルヘッド４を備え、上記装着筒２の上面から上記ステム３を囲成する案内筒６を立設し、該案内筒の外側に上記押下げノズルヘッド４に設けた下端解放の外周壁７を昇降摺動自在に嵌合させ、上記押下げノズルヘッド４を押し下げしかつ上昇復帰させることでポンプ作用を生じて、取り付けた容器体内の液体を吸い上げてはその押下げノズルヘッド４のノズル10から噴出させるポンプにおいて、
上記案内筒６の下部外周に凹溝11を周設するとともに、
該凹溝には、曲げの弾性を有するとともに全周に亘って連続成形したスライドリング12を装備させており、該スライドリングは、その外周を、前後方向に長くかつ左右両側中間部がほぼ平らな長円形に、またリング孔を、左右両側中間部において内方に括れたダルマ形にそれぞれ形成することで、前後動可能に、かつ前後動に伴い後半部14及び前半部13を上記凹溝11に切換え嵌合できるように設けており、
また、スライドリングの後半部14から、上昇限に位置する上記押下げノズルヘッド４の外周壁７下端面へ差し抜き自在に介入させるように設けた、上面視劣弧状のロック板15を立設し、
更に、その後半部14乃至ロック板15の後面につまみ16を突設して成る。
【０００５】
請求項２の発明は、上述の請求項１のロック付きポンプにあって、上記つまみ16を横断面Ｔ字状乃至Ｙ字状の垂直片とし、上記ロック板15の差し込み態勢にて平面視で上記装着筒２の範囲内に納まる大きさとして成る。
【０００６】
【発明の実施の形態】
図面は、請求項１及び請求項２の発明に係る実施の形態を示している。
図示のものは、ポンプ本体を構成する竪型のシリンダ１の上端外周に、容器体の口頸部へ着脱自在に螺着する内ねじ螺筒の装着筒２を備え、そのシリンダ１の上端の内側から上方へ昇降可動にステム３を突出させ、該ステムの上端に押下げノズルヘッド４を嵌合させ、そのシリンダ１の下端から吸上げパイプ５を垂設している。
【０００７】
装着筒２の上面からは、ステム３を囲成する案内筒６を立設し、該案内筒の外側に、押下げノズルヘッド４に設けた下端解放の外周壁７を昇降摺動自在に緩く嵌合させ、そして、この緩い嵌合により該外周壁とその案内筒６との間に通気用の隙間８を形成するとともに、案内筒６乃至上記シリンダ１に容器体内へと外気を供給して容器体内の負圧化を防止する外気導入路９を設けている。
【０００８】
ステム３の下端は、シリンダ１内に昇降摺動自在に嵌合させた環状ピストン17に連繋させ、これらをシリンダ１に内蔵させたコイルスプリング18で上方へと付勢している。
シリンダ１内の下部には、吸込弁19を設け、ステム３内の上部には、吐出弁20を設けている。また、シリンダ１の上部には、上記外気導入路９の一部である小さな空気孔21を穿設し、該空気孔すなわち外気導入路９を上昇限に位置する環状ピストン17で閉じている。
押下げノズルヘッド４には、前面の上部にステム３の上端と連通するノズル10を突設している。
【０００９】
而して、上記案内筒６の下端部外周に凹溝11を周設し、該凹溝に、曲げの弾性を有するダルマ形リング孔付きのスライドリング12を、前後動に伴い前半部13と後半部14にて切換え嵌合させるよう前後可動に装備させている。このスライドリングは全周に亘って連続成形しており、又、スライドリングの外周は長円形としている。又、その後半部14からは、上昇限に位置する上記押下げノズルヘッド４の外周壁７下端面へ差し抜き自在に介入させる、上面視劣弧状のロック板15を一体に立設している。更に、その後半部14乃至ロック板15の後面からつまみ16を一体に突設し、該つまみを横断面ほぼＹ字状の垂直片にするとともに、ロック板15の差し込み態勢にて平面視で装着筒２の範囲内に納まる大きさにしている。なお、つまみは、横断面Ｔ字状の垂直片としてもよいことは勿論である。
【００１０】
如上の構成であり、液体等の内容物を収容した容器体の口頸部へ装着筒２により螺着し、吸上げパイプ５を容器体内へ深く挿入させる。
この状態で未だロック板15が押下げノズルヘッド４の外周壁７下端面に差し込まれているときは、押下げノズルヘッド４がこのロック板15により下降が阻止されて、ポンプは働かず、ノズル10から内容物が漏出することもない。なお、容器体内へ侵入しようとする湯水は、起立する案内筒６とこれに被さっている押下げノズルヘッド４の外周壁７で一旦阻止される。
【００１１】
次に、つまみ16をつまんで後方へ引き、ダルマ形スライドリング12の前半部13を凹溝11に嵌合させると、ロック板15が押下げノズルヘッド４の外周壁７下端面から抜け、押下げノズルヘッド４は押し下げ可能となり、ポンプの操作・動作が可能となる。したがって、この態勢にて、コイルスプリング18に抗して押下げノズルヘッド４を押し下げし、かつ、そのコイルスプリング18の弾力で上昇復帰させれば、ポンプが作用し、容器体内の内容物が押下げノズルヘッド４のノズル10から外部へと噴出される。
【００１２】
【発明の効果】
請求項１及び請求項２の発明によれば、既述構成であるから、つまみ16にてダルマ形スライドリング12を前進させて後半部14を凹溝11に嵌合させ、ロック板15を押下げノズルヘッド４の外周壁７下端面に差し込むことで、このロック板15により押下げノズルヘッド４の下降すなわちポンプの作動を阻止でき、押下げノズルヘッド４の無用の押し下げや外力による不意の下降などによる内容物の漏出を的確に防止できる。
また、つまみ16にてダルマ形スライドリング12を後退させて前半部13を凹溝11に嵌合させ、ロック板15を押下げノズルヘッド４の外周壁７下端面から引き出すことで、ロック板15による押下げノズルヘッド４のロックを簡単に解除でき、押下げノズルヘッド４の押し下げによるポンプの操作・動作を可能にすることができる。
したがって、押下げノズルヘッド４すなわちポンプのロックを任意にかつ幾度も係合・離脱させることができ、商品流通段階だけでなく、需要者における使用段階においてもそのまま利用でき、しかも、その操作取り扱いが簡単であり、頗る便利重宝である。更に、構造並びに製作簡単で安価に提供できる。
【００１３】
加えて、請求項２の発明によれば、つまみ16を横断面Ｔ状乃至Ｙ字状の垂直片とし、ロック板15の差し込み態勢にて平面視で上記装着筒２の範囲内に納まる大きさとしているので、つまみ16がロック板15のリブとしての役割及び傾倒防止用の支持片としての役割を果たし、ロック板15を的確かつ強力に機能させることができ、また、その形状からつまみ16を滑ることもなく確実につまむことができて、その操作取り扱いが容易であり、しかも、つまみ16が邪魔になるようなことはない。
【図面の簡単な説明】
【図１】  請求項１及び請求項２の発明に係る実施の形態を示す押下げノズルヘッドロック態勢の側面図である。
【図２】  同実施の形態における押下げノズルヘッドロック態勢の平面図である。
【図３】  同実施の形態における押下げノズルヘッドロック解除態勢の側面図である。
【図４】  同実施の形態における要部部材の拡大平面図である。
【図５】  同実施の形態における押下げノズルヘッドロック態勢の拡大截断側面図である。
【符号の説明】
１…シリンダ                    ２…装着筒
３…ステム                      ４…押下げノズルヘッド
５…吸上げパイプ                ６…案内筒
７…外周壁                      ８…隙間
９…外気導入路                  10…ノズル
11…凹溝                        12…ダルマ形スライドリング
13…前半部                      14…後半部
15…ロック板                    16…つまみ
17…環状ピストン                18…コイルスプリング
19…吸込弁                      20…吐出弁
21…空気孔
【図１】
0003751417.tif 000002
【図２】
0003751417.tif 000003
【図３】
0003751417.tif 000004
【図４】
0003751417.tif 000005
【図５】
0003751417.tif 000006